(57)【要約】【課題】照明装置が点灯する時刻にしたがって、照明装置を点灯し続ける点灯時間を適切に制御することにより、無駄な消費電力を少なくし、電池寿命を長くする。【解決手段】時刻検出手段が現在時刻を検出する。設定手段が、第１の時間帯および第２の時間帯を設定する。照明制御手段が、現在時刻が第１の時間帯に含まれる場合は、現在時刻が第２の時間帯に含まれる場合に比較して、照明を点灯し続ける時間を短くするように制御する。【選択図】　　図２
2004023287.tif 000002
【特許請求の範囲】
【請求項１】
照明を所定の時間だけ点灯して画面を明るくするように制御する携帯情報端末において、
現在時刻を検出する時刻検出手段と、
第１の時間帯および第２の時間帯を設定する時間帯設定手段と、
前記現在時刻が前記第１の時間帯に含まれる場合は、前記現在時刻が前記第２の時間帯に含まれる場合に比較して、前記照明を点灯し続ける時間を短くするように制御する照明制御手段と
を具備することを特徴とする携帯情報端末。
【請求項２】
通話状態であるか否かを検出する通話検出手段をさらに具備し、
前記照明制御手段は、通話状態であると検出された場合、通話状態でないと検出された場合に比較して、照明を点灯し続ける時間を短くすることを特徴とする請求項１に記載の携帯情報端末。
【請求項３】
現在の月日を検出する月日検出手段と、
前記月日に基づいて、日出時刻および日没時刻を設定する日出日没時刻設定手段と
をさらに具備し、
前記時間帯設定手段は、前記日出時刻から前記日没時刻までを前記第１の時間帯に設定し、前記日没時刻から前記日出時刻までを前記第２の時間帯に設定することを特徴とする請求項１または請求項２に記載の携帯情報端末。
【請求項４】
前記月日と、前記日出時刻および前記日没時刻とを対応して記憶している記憶手段をさらに具備することを特徴とする請求項３に記載の携帯情報端末。
【請求項５】
前記日出日没時刻設定手段は、国ごとに、当該国の月日に基づいて前記日出時刻および前記日没時刻を設定することを特徴とする請求項３に記載の携帯情報端末。
【請求項６】
国ごとに、前記月日と、前記日出時刻および前記日没時刻とを対応して記憶している記憶手段をさらに具備することを特徴とする請求項５に記載の携帯情報端末。
【請求項７】
ユーザの指示に応じて前記記憶手段の内容を変更する変更手段をさらに具備する請求項４または請求項６に記載の携帯情報端末。
【発明の詳細な説明】
【０００１】
【発明の属する技術分野】
本発明は、表示器に照明装置を設けることにより、照度が低い環境下でも、ユーザが表示されている情報を容易に確認することができる携帯情報端末に関する。
【０００２】
【従来の技術】
従来の携帯情報端末は、ユーザが、携帯情報端末本体のボタンを操作する、または、折り畳み式の携帯情報端末の蓋を開放すると、携帯情報端末の表示器に設けられている照明装置が自動的に点灯するように設定されている。
【０００３】
さらに、その照明装置は、点灯による消費電力を低減するため、予め設定してある固定時間が経過すると自動的に照明装置を消灯するように設定されている。
【０００４】
【発明が解決しようとする課題】
しかしながら、上述した従来の携帯情報端末では、携帯情報端末の外部環境での照度に関係なく、照明装置は固定時間だけ常に点灯状態にある。したがって、外部環境での照度が高いため照明装置が長時間点灯する必要がない場合でも、照明装置が点灯状態を維持しているという場合が生じる。この場合は、照明装置が電力を無駄に消費していることになり、携帯情報端末の電池寿命を徒に短くしていることになる。
【０００５】
本発明は、従来における問題点に鑑み、照明装置が点灯する時刻にしたがって、照明装置を点灯し続ける点灯時間を適切に制御することにより、無駄な消費電力を少なくし、電池寿命を長くすることを可能にする携帯情報端末を提供することを目的としている。
【０００６】
さらに、通話中の場合にも、照明装置を点灯し続ける点灯期間を適切に制御することにより、無駄な消費電力を少なくし、電池寿命を長くすることを可能にする携帯情報端末を提供することを目的としている。
【０００７】
【課題を解決するための手段】
本発明の携帯情報端末は、
照明を所定の時間だけ点灯して画面を明るくするように制御する携帯情報端末において、
現在時刻を検出する時刻検出手段と、
第１の時間帯および第２の時間帯を設定する時間帯設定手段と、
前記現在時刻が前記第１の時間帯に含まれる場合は、前記現在時刻が前記第２の時間帯に含まれる場合に比較して、前記照明を点灯し続ける時間を短くするように制御する照明制御手段と
を備えている。
【０００８】
以上の構成によれば、本発明の携帯情報端末は、動作する時間帯によって、照明装置の点灯時間を制御することが可能になる。点灯時間が少なくてもユーザが画面内を十分に読み取ることができる時間帯では、照明装置の点灯時間を短くするように制御することにより、携帯情報端末の消費電力を削減し、本体の電池寿命を長くする事が可能になる。
【０００９】
また、本発明の携帯情報端末は、通話状態であるか否かを検出する通話検出手段をさらに具備し、照明制御手段は、通話状態であると検出された場合、通話状態でないと検出された場合に比較して、照明を点灯し続ける時間を短くする。この構成によれば、通話中、ユーザは画面を見る必要はないので、ユーザの利便性を犠牲にすることなく、携帯情報端末の消費電力を削減することが可能になる。
【００１０】
さらに、本発明の携帯情報端末は、現在の月日を検出する月日検出手段と、前記月日に基づいて、日出時刻および日没時刻を設定する日出日没時刻設定手段とをさらに具備し、時間帯設定手段は、日出時刻から日没時刻までを第１の時間帯に設定し、日没時刻から日出時刻までを第２の時間帯に設定する。この構成によれば、携帯情報端末が使用されている日にあわせて、日出時刻と日没時刻を設定することが可能になる。したがって、外部環境の明るさの変化に正確に反応して照明を点灯し続ける時間を設定することが可能になる。
【００１１】
またさらに、日出日没時刻設定手段は、国ごとに、当該国の月日に基づいて日出時刻および日没時刻を設定する。この構成によれば、複数の国で本発明の携帯情報端末を使用しても、常に上述したように適切に照明を点灯し続ける時間を設定することが可能になる。
【００１２】
【発明の実施の形態】
以下、図面を参照して、本発明の実施形態に係る携帯情報端末を説明する。　図１は、本発明の一実施形態に係る携帯情報端末１００の機能ブロック図である。
本実施形態の携帯情報端末１００は、無線部１０、ベースバンド処理部２０、制御部３０、および、音声コーデック部４０を備えている。音声コーデック部４０には、スピーカ４１およびマイクロフォン４２が接続されている。
【００１３】
また、制御部３０には、メモリ５０、日出時刻および日没時刻が国ごとに対応づけて記憶されているテーブルを記憶しているデータベース５１が接続されている。データ等を表示する表示器であるＬＣＤ６０、そのＬＣＤ６０を照明するための照明装置であるバックライト６１も制御部３０に接続されている。
【００１４】
さらに、制御部３０には、時刻と日付を管理している日時管理部７０、ユーザがデータを入力したり携帯情報端末を操作するためのキーボード８０、時間を測定するためのタイマ９０が接続されている。
また、携帯情報端末１００は、たとえば、移動通信網に接続している基地局２００との間でデータを送受信する。
【００１５】
アンテナで受信された基地局２００からの信号は、無線部１０に入力される。受信された信号から所望のチャネルが選択されて、所望の信号が受信される。この信号は、復調されてベースバンド処理部２０に出力される。
【００１６】
ベースバンド処理部２０では、復調信号がディジタル信号に変換され、このディジタル信号がディジタル復調される。すなわち、このディジタル信号が通信に必要なデータ、音声データ、および、ユーザサービスデータ等になる。
【００１７】
これらのデータは、制御部３０の制御にしたがって音声コーデック部４０、メモリ５０、および、ＬＣＤ６０等に出力される。音声コーデック部４０では、音声データが現実の音声としてスピーカ４１から出力される。また、メモリ５０は、入力されたデータを記憶する。ＬＣＤ６０は、入力されたデータにしたがって画像を表示する。
【００１８】
一方、音声等の信号が基地局２００に向けて送信される場合は、音声コーデック部４０に現実の音声がマイクロフォン４２から入力されアナログ信号に変換される。このアナログ信号がディジタル信号に変換され制御部３０の制御にしたがってベースバンド処理部２０に出力される。
【００１９】
ベースバンド処理部２０において、入力されたディジタル信号がディジタル変調される。ディジタル変調された信号は、アナログ信号に変換され、無線部１０に出力される。
【００２０】
無線部１０では、変換されたアナログ信号が変調される。変調されたアナログ信号は、所望のチャネル以外の不要信号成分が除去されて、アンテナから基地局２００に送信される。
【００２１】
図２は、図１に示されている制御部３０に含まれる照明制御部３１の機能ブロック図である。
外部入力監視機能３１１は、ユーザにより携帯情報端末のキーが操作されている等があるか否かの監視を行い、もしキーが操作されている場合には、照明時間制御機能３１８が、バックライト６１をオンさせて点灯し照明延長時間後に自動的にオフさせて消灯する。
【００２２】
本実施形態の携帯情報端末１００では、この照明延長時間が現在時刻にもとづいて変更される。照明延長時間は、携帯情報端末１００が現在使用されている日時および国にもとづいて変更される。
現在日付参照機能３１３が現在の日付、すなわち月日を日時管理部７０から参照する。参照された月日にもとづいて、国別日出日没時刻抽出機能３１４が、携帯情報端末１００が使用されている国の日出日没時刻を抽出する。携帯情報端末１００が使用されている国は、ユーザが設定国変更機能３１２を使用して入力する。また、設定国変更機能３１２は、設定国を変更するのみでなく、国別の日出日没時刻をユーザがキーボード８０を操作することによって変更することも可能にする。
【００２３】
照明延長時間設定機能３１７が、現在時刻参照機能３１５により参照された現在時刻と抽出された日出日没時刻とを参照して、照明延長時間として通常の照明延長時間より短い時間を設定するか否かを判定する。すなわち、参照された現在時刻が日出後日没前であれば、照明延長時間として通常の照明延長時間より短い時間を設定する。他方、参照された現在時刻が日没後日出前であれば、照明延長時間として通常の照明延長時間を設定する。
この設定にもとづいて、照明時間制御機能３１８が、バックライト６１を点灯させタイマ９０にもとづいてその照明時間を制御する。
【００２４】
この結果、携帯情報端末が使用されている日にあわせて、日出時刻と日没時刻を設定することが可能になる。したがって、外部環境の明るさの変化に正確に反応して照明を点灯し続ける時間を設定することが可能になる。点灯時間が少なくてもユーザが画面内を十分に読み取ることができる時間帯では、照明装置の点灯時間を短くするように制御することにより、携帯情報端末の消費電力を削減し、本体の電池寿命を長くする事が可能になる。
【００２５】
国別日出日没時刻抽出機能３１４により抽出される日出日没時刻は、データベース５１に、たとえば月ごとにその月平均の日出日没時刻として記憶されている。すなわち、１２個の日出日没時刻がデータとしてデータベース５１に記憶されている。さらに、この１２個の日出日没時刻のデータが国ごとに用意されて、データベース５１に記憶されている。
また、別の例として、日出日没時刻は、データベース５１に、季節ごとにその季節内の平均の日出日没時刻が記憶されていてもよい。また他に、日出日没時刻は、データベース５１に、日ごとに記憶されていてもよい。
【００２６】
また、携帯情報端末１００が通話中の動作をしているか否かでも、照明延長時間を変化させる。通話中監視機能３１６が現在、通話中であると判定すると、照明延長時間設定機能３１７が照明延長時間として通常の照明延長時間より短い時間を設定する。この設定にもとづいて、照明時間制御機能３１８が、バックライト６１をオンさせその照明時間を制御する。
【００２７】
この結果、通話中、ユーザは画面を見る必要はないので、ユーザの利便性を犠牲にすることなく、携帯情報端末の消費電力を削減することが可能になり、本体の電池寿命を長くする事が可能になる。
【００２８】
図３は、本発明の一実施形態に係る携帯情報端末の照明制御部のフロー図である。
携帯情報端末１００のキーボード８０が操作されている（いわゆる、キー入力が有る）か否かが判定される（ステップＳＴ−１）。キー入力が有る場合は、ステップＳＴ−２に進み、他方、キー入力がない場合はステップＳＴ−１に戻り、キー入力が有るか否かを監視する。
【００２９】
ステップＳＴ−１において、キー入力が有りと判定された場合は、そのキー操作が既に設定されている国を変更するための操作か否かが判定される（ステップＳＴ−２）。たとえば、製品出荷時にはその製品が販売される国が設定されている。ステップＳＴ−２では、ユーザがこのように設定されている国を変更するか否かを判断する。キー操作が既に設定されている国を変更するための操作である場合は、ステップＳＴ−３に進み、他方、キー操作が既に設定されている国を変更するための操作でない場合は、ステップＳＴ−４に進む。
また、ユーザが、データベース５１に記憶されている日出日没時刻を変更するか否かを判断するようになっていてもよい。さらに、ユーザが、データベース５１に記憶されている国を変更してその国の日出日没時刻を設定するか否かを判断するようになっていてもよい。これらが実行される場合は、ステップＳＴ−３において、ユーザがキーボード８０を操作することによって日出日没時刻を変更したり、ユーザがデータベース５１に記憶されている国を変更してその国の日出日没時刻を設定したりする。
【００３０】
ステップＳＴ−２において、設定されている国を変更する場合は、ユーザが、ユーザにより要求された国にキーボード８０を操作することによって、国を変更する（ＳＴ−３）。国を変更した場合は、ユーザは日時管理部７０が管理している時刻と日付を変更する。
【００３１】
ステップＳＴ−２において、設定されている国を変更しない場合、もしくは、ステップＳＴ−３において、国を変更した場合、現在の日付を内蔵時計を有する日時管理部７０から読み込む（ＳＴ−４）。読み込まれた現在の日付にもとづいて、データベース５１に記憶されている日出日没時刻データのうち、対応する月の日出日没時刻データが抽出される（ＳＴ−５）。
【００３２】
つぎに、現在の時刻を内蔵時計を有する日時管理部７０から読み込む（ＳＴ−６）。読み込まれた現在の時刻とステップＳＴ−５において抽出された日出日没時刻データとが参照されて、現在が日出時刻から日没時刻までの期間内であるか否かが判定される（ＳＴ−７）。現在が日出時刻から日没時刻までの期間内でないと判定された場合は、ステップＳＴ−８に進み、他方、現在が日出時刻から日没時刻まで期間内であると判定された場合は、ステップＳＴ−９に進む。
【００３３】
ステップＳＴ−７において、現在が日出時刻から日没時刻までの期間内でない場合は、現在、通話中であるか否かが判定される（ＳＴ−８）。現在、通話中であると判定された場合は、ステップＳＴ−９に進み、他方、通話中でないと判定された場合は、ステップＳＴ−１０に進む。
【００３４】
ステップＳＴ−７において、現在が日出時刻から日没時刻までの期間内であると判定された場合、もしくは、ステップＳＴ−８において、現在、通話中であると判定された場合は、通常の照明延長時間よりも短い照明延長時間を設定する（ＳＴ−９）。たとえば、通常の照明延長時間は３０秒、ステップＳＴ−９での通常の照明延長時間よりも短い照明延長時間は１０秒に設定される。
【００３５】
なお、通話中であるか否かは、制御部３０によって判定される。制御部３０は、常に、携帯情報端末１００が通話中であるか、データ通信中であるか、または、待ち受け中であるか等を監視している。
【００３６】
一方、ステップＳＴ−８において、現在、通話中でないと判定された場合は、通常の照明延長時間を設定する（ＳＴ−１０）。ステップＳＴ−９、または、ステップＳＴ−１０において照明延長時間を設定した後に、照明装置であるバックライト６１をオンして点灯する（ＳＴ−１１）。
【００３７】
ステップＳＴ−９、または、ステップＳＴ−１０において設定された照明延長時間が終了したか否かが判定される（ＳＴ−１２）。設定された照明延長時間が終了した場合は、バックライト６１をオフして消灯する（ＳＴ−１３）。他方、設定された照明延長時間が終了していない場合は、ステップＳＴ−１２に戻り、照明延長時間が終了したか否かを監視する。
【００３８】
上述したフロー図の各ステップに示された指示は、ソフトウエアであるプログラムにもとづいて実行される。プログラムは、本実施形態の携帯情報端末であるプログラム可能な装置上でロードされる。この携帯情報端末上で実行される指示は、フロー図の各ブロックで特徴づけられている機能を実行する手段を提供する。それらの機能は、図２の機能ブロック図に示されている。プログラムは、メモリ５０、または、これに類する記録媒体に格納されて実行される。
【００３９】
図４は、図１に示されているデータベース５１に格納されているテーブルである。
本実施形態では、図４に示されるように、データベーステーブルが月ごとに用意されている。図４は、６月に対応するデータベーステーブルである。このテーブルは、国名と、その国でのおおよその日出時刻と日没時刻をデータとして含んでいる。
【００４０】
これらの日出時刻と日没時刻は、その国での平均的な時刻であって、その月の平均的な時刻が適用される。
本実施形態の携帯情報端末１００は、このデータベーステーブルに用意されている国のいずれかが設定されている。たとえば、国１が設定されている場合は、午後６時５１分から午前４時２６分の間は、外部環境が暗いと判定されて、予め設定されている照明延長時間だけ、キー操作等がある場合、照明装置が点灯する。
他方、午前４時２６分から午後６時５１分の間は、外部環境が明るいと判定されて、上記の予め設定されている照明延長時間よりも短い照明延長時間だけ、キー操作等がある場合、照明装置が点灯する。
【００４１】
図５は、ユーザが時刻を書き込むことにより、図１に示されているデータベース５１に格納されるテーブルである。
ユーザは、図４に示されているデータベーステーブルを変更したい場合、ユーザが日出時刻と日没時刻を設定するためのユーザ入力テーブルを使用する。
【００４２】
図５に示されるように、ユーザ入力テーブルは、日出時刻と日没時刻をキーボード８０を操作して入力することができるように、空欄になっている。ユーザは、変更したい時刻を所望の国に対応する欄に記入する。ユーザ入力テーブルに時刻が記入されている欄は、図４に示されるデータベーステーブルの対応する欄よりも優先して参照されるように設定されている。
【００４３】
さらに、ユーザがキーボード８０を操作して、国も変更することができるようになっていてもよい。
この結果、ユーザは自在に国および日出日没時刻を変更することができるので、ユーザがしばしば出かける国に設定を変更することができる。また、ユーザが日出日没時刻を微調整することが可能になる。
この発明は、上述した実施の形態に限定されるものではなく、その技術的範囲において種々変形して実施することができる。
【００４４】
【発明の効果】
本発明の携帯情報端末によれば、日出日没時刻、および、ユーザが通話中であるか否かにもとづいて、携帯情報端末のキーを操作した場合に照明装置が点灯する照明時間を制御することにより、携帯情報端末の消費電力を適切に制御することが可能になる。
【００４５】
その結果、携帯情報端末が無駄に電力を消費することが少なくなり、携帯情報端末の電池寿命を長くすることができる。
【００４６】
また、国情報も登録することが可能なので、登録されている国にあわせた日出日没時刻を参照することができ、世界のどこの国においても本発明の携帯情報端末は、上記と同様の効果を奏する。
【図面の簡単な説明】
【図１】本発明の一実施形態に係る携帯情報端末の機能ブロック図。
【図２】図１に示されている制御部に含まれる照明制御部の機能ブロック図。
【図３】本発明の一実施形態に係る携帯情報端末の照明制御部のフロー図。
【図４】図１に示されているデータベースに格納されているテーブル。
【図５】ユーザが時刻を書き込むことにより、図１に示されているデータベースに格納されるテーブル。
【符号の説明】
１０　　無線部
２０　　ベースバンド処理部
３０　　制御部
３１　　照明制御部
３２　　メモリ
４０　　音声コーデック部
４１　　スピーカ
４２　　マイクロフォン
５０　　メモリ
５１　　データベース
６１　　バックライト
７０　　日時管理部
８０　　キーボード
９０　　タイマ
１００　携帯情報端末
２００　基地局
３１１　外部入力監視機能
３１２　設定国変更機能
３１３　現在日付参照機能
３１４　国別日出日没時刻抽出機能
３１５　現在時刻参照機能
３１６　通話中監視機能
３１７　照明延長時間設定機能
３１８　照明時間制御機能
【図１】
2004023287.tif 000003
【図２】
2004023287.tif 000004
【図３】
2004023287.tif 000005
【図４】
2004023287.tif 000006
【図５】
2004023287.tif 000007